【手続補正書】
【提出日】平成15年11月6日(2003.11.6)
【手続補正１】
【補正対象書類名】明細書
【補正対象項目名】特許請求の範囲
【補正方法】変更
【補正の内容】
【特許請求の範囲】
【請求項１】
ブレーキの隙間調節機構と、制動底板と、制動ドラムとを少なくとも備えるシュー・ドラムにおいて、該シュー・ドラムは多自由度連動シュー機構を備え、該多自由度連動シュー機構は２つの多自由度組合せシューから構成され、該２つの多自由度組合せシューは制動シュー連動機構を介して相互に連結され、該各多自由度組合せシューは駆動アームと、制動シューと、連結ピンと、支持ピンとを含んで構成され、該各多自由度組合せシューの該制動シューは該連結ピンを介して該駆動アームにヒンジ結合され、該多自由度組合せシューは該駆動アームにヒンジ結合する該支持ピンを介して該制動底板に取付けられ、該ブレーキの隙間調節機構は該制動底板に取り付けられて該多自由度組合せシュー機構と連動するようにされ、また、該制動ドラムは該多自由度連動シュー機構の外側に配設されて該制動シューとの間に摩擦力を発生させることが出来るようにされていることを特徴とするシュー・ドラム式ブレーキ。
【請求項２】
該多自由度連動シュー機構は３自由度を有し、該各多自由度組合せシューは２自由度を有しており、２つの２自由度組合せシューから１つの３自由度連動シュー機構が構成されて残りの自由度は制限され、該各制動シューと駆動アームとの連結は円柱丁番で、該各駆動アームの支持ピンと駆動アームとの連結も円柱丁番であり、該２つの２自由度組合せシューの駆動アームは向い合って並列に配置され、該２つの支持ピンは所定距離だけ離隔して配置され、該各支持ピンは対応する駆動アームの一端に取り付けられて、その駆動アームの自由端と別の駆動アームの支持ピンは同じ側に配置され、該２つの２自由度組合せシューの駆動アーム同士は連動しないようにされている、請求項１記載のシュー・ドラム式ブレーキ。
【請求項３】
該多自由度連動シュー機構は２自由度を有し、該各多自由度組合せシューも２自由度を有しており、２つの２自由度組合せシューから１つの２自由度連動シュー機構が構成されて残りの自由度は制限され、該各制動シューと駆動アームとの連結は円柱丁番で、該各駆動アームの支持ピンと駆動アームとの連結も円柱丁番であり、該２つの２自由度組合せシューの駆動アームは向い合って並列に配置され、該２つの支持ピンは所定距離だけ離隔して配置され、該各支持ピンは対応する駆動アームの一端に取り付けられて、その駆動アームの自由端と別の駆動アームの支持ピンは同じ側に配置され、該２つの２自由度組合せシューの該駆動アーム同士は駆動アーム連動機構を介して、相互に連動するようにされている、請求項１記載のシュー・ドラム式ブレーキ。
【請求項４】
該多自由度連動シュー機構は１つの横向傾斜自由度を含む４自由度を有し、即ち、該４自由度連動シュー機構は、その２つの駆動アームの支持ピン丁番の中心を結ぶ連結線まわりに小角度で回転可能にされ、該各多自由度組合せシューも４自由度を有して、２つの４自由度組合せシューから１つの４自由度連動シュー機構が構成されて残りの自由度は制限され、該各制動シューと駆動アームとの連結は円柱丁番で、該各駆動アームの支持ピンと駆動アームとの連結は球形丁番であり、該２つの４自由度組合せシューの駆動アームは向い合って並列に配置され、該２つの支持ピンは所定距離だけ離隔して配置され、該各支持ピンは対応する駆動アームの一端に取り付けられて、その駆動アームの自由端と別の駆動アームの支持ピンは同じ側に配置され、該２つの４自由度組合せシュー同士は連動しないようにされている、請求項１記載のシュー・ドラム式ブレーキ。
【請求項５】
該多自由度連動シュー機構は１つの横向傾斜自由度を含む３自由度を有し、即ち、該３自由度連動シュー機構は、その２つの駆動アームの支持ピン丁番の中心を結ぶ連結線まわりに小角度で回転可能にされ、該各多自由度組合せシューも４自由度を有して、２つの４自由度組合せシューから１つの３自由度連動シュー機構が構成されて残りの自由度は制限され、該各制動シューと駆動アームとの連結は円柱丁番で、該各駆動アームの支持ピンと駆動アームとの連結は球形丁番であり、該２つの４自由度組合せシューの駆動アームは向かい合って並列に配置され、該２つの支持ピンは所定距離だけ離隔して配置され、該各支持ピンは対応する駆動アームの一端に取り付けられて、その駆動アームの自由端と別の距離アームの支持ピンは同じ側に配置され、該２つの４自由度組合せシューの駆動アーム同士は駆動アーム連動機構を介して、相互に連動するようにされている、請求項１記載のシュー・ドラム式ブレーキ。
【請求項６】
該多自由度連動シュー機構は１つの横向傾斜自由度を含む４自由度を有し、即ち、該４自由度連動シュー機構は、その２つの制動シューの連結ピン丁番の中心を結ぶ連結線まわりに小角度で回転可能にされ、該各多自由度組合せシューも４自由度を有して、２つの４自由度組合せシューから１つの４自由度連動シュー機構が構成されて残りの自由度は制限され、該各制動シューと駆動アームとの連結は球形丁番で、該各駆動アームの支持ピンと駆動アームとの連結は円柱丁番であり、該２つの４自由度組合せシューの駆動アームは向かい合って並列に配置され、該２つの支持ピンは所定距離だけ離隔して配置され、該各支持ピンは対応する駆動アームの一端に取り付けられて、その駆動アームの自由端と別の駆動アームの支持ピンは同じ側に配置され、該２つの４自由度組合せシューの駆動アーム同士は連動しないようにされている、請求項１記載のシュー・ドラム式ブレーキ。
【請求項７】
該多自由度連動シュー機構は１つの横向傾斜自由度を含む３自由度を有し、即ち、該３自由度連動シュー機構は、その２つの制動シューの連結ピン丁番の中心を結ぶ連結線まわりに小角度で回転可能にされ、該各多自由度組合せシューも４自由度を有して、２つの４自由度組合せシューから１つの３自由度連動シュー機構が構成されて残りの自由度は制限され、該各制動シューと駆動アームとの連結は球形丁番で、該各駆動アームの支持ピンと駆動アームとの連結は円柱丁番であり、該２つの４自由度組合せシューの駆動アームは向かい合って並列に配置され、該２つの支持ピンは所定距離だけ離隔して配置され、該各支持ピンは対応する駆動アームの一端に取り付けられて、その駆動アームの自由端と別の駆動アームの支持ピンは同じ側に配置され、該２つの４自由度組合せシューの駆動アーム同士は連動しないようにされている、請求項１記載のシュー・ドラム式ブレーキ。
【請求項８】
該多自由度連動シュー機構は１つの横向傾斜自由度を含む４自由度を有し、即ち、該４自由度連動シュー機構は、その２つの制動シューの連結ピン丁番の中心を結ぶ連結線まわりに小角度で回転可能にされ、該各多自由度組合せシューも３自由度を有して、２つの３自由度組合せシューから１つの４自由度連動シュー機構が構成されて残りの自由度は制限され、該各制動シューと駆動アームとの連結は球形丁番で、該各駆動アームの支持ピンと駆動アームとの連結は円柱丁番であり、該２つの３自由度組合せシューの駆動アームは向かい合って並列に配置され、該２つの支持ピンは所定距離だけ離隔して配置され、該各支持ピンは対応する駆動アームの一端に取り付けられて、その駆動アームの自由端と別の駆動アームの支持ピンは同じ側に配置され、該２つの３自由度組合せシューの駆動アーム同士は連動しないようにされている、請求項１記載のシュー・ドラム式ブレーキ。
【請求項９】
該多自由度連動シュー機構は１つの横向傾斜自由度を含む３自由度を有し、即ち、該３自由度連動シュー機構は、その２つの制動シューの連結ピン丁番の中心を結ぶ連結線まわりに小角度で回転可能にされ、該各多自由度組合せシューも３自由度を有して、２つの３自由度組合せシューから１つの３自由度連動シュー機構が構成されて残りの自由度は制限され、該各制動シューと駆動アームとの連結は楕円柱丁番で、該各駆動アームの支持ピンと駆動アームとの連結は円柱丁番であり、該２つの３自由度組合せシューの駆動アームは向かい合って並列に配置され、該２つの支持ピンは所定距離だけ離隔して配置され、該各支持ピンは対応する駆動アームの一端に取り付けられて、この駆動アームの自由端と別の駆動アームの支持ピンは同じ側に配置され、該２つの３自由度組合せシューの駆動アーム同士は駆動アーム連動機構を介して、相互に連動するようにされている、請求項１記載のシュー・ドラム式ブレーキ。
【請求項１０】
該多自由度連動シュー機構は１つの横向傾斜自由度を含む４自由度を有し、即ち、該４自由度連動シュー機構は、その２つの制動シューの連結ピン丁番の中心を結ぶ連結線まわりに小角度で回転可能にされ、該各多自由度組合せシューは３自由度を有して、２つの３自由度組合せシューから１つの４自由度連動シュー機構が構成されて残りの自由度は制限され、該各制動シューと駆動アームとの連結は楕円柱丁番で、該各駆動アームの支持ピンと駆動アームとの連結は円柱丁番であり、該２つの３自由度組合せシューの駆動アームは向かい合って並列に配置され、該２つの支持ピンは所定距離だけ離隔して配置され、該各支持ピンは対応する駆動アームの一端に取り付けられて、この駆動アームの自由端と別の駆動アームの支持ピンは同じ側に配置され、該２つの３自由度組合せシューの駆動アーム同士は連動しないようにされている、請求項１記載のシュー・ドラム式ブレーキ。
【請求項１１】
該多自由度連動シュー機構は１つの横向傾斜自由度を含む３自由度を有し、即ち、該３自由度連動シュー機構は、その２つの制動シューの連結ピン丁番の中心を結ぶ連結線まわりに小角度で回転可能にされ、該各多自由度組合せシューも３自由度を有して、２つの３自由度組合せシューから１つの３自由度連動シュー機構が構成されて残りの自由度は制限され、該各制動シューと駆動アームとの連結は楕円柱丁番で、該各駆動アームの支持ピンと駆動アームとの連結は円柱丁番であり、該２つの３自由度組合せシューの駆動アームは向かい合って並列に配置され、該２つの支持ピンは所定距離だけ離隔して配置され、該各支持ピンは対応する駆動アームの一端に取り付けられて、この駆動アームの自由端と別の駆動アームの支持ピンは同じ側に配置され、該２つの３自由度組合せシューの駆動アーム同士は駆動アームを介して、相互に連動するようにされている、請求項１記載のシュー・ドラム式ブレーキ。
【請求項１２】
該駆動アーム連動機構は、駆動アームに連結された連動ピンと、別の駆動アームのスロットにある滑り金から構成され、この滑り金は内部の孔を介して、連動ピンと連結され、スロットの中で相対的に摺動ができる、請求項３、５、７、９及び１１記載のシュー・ドラム式ブレーキ装置。
【請求項１３】
該多自由度連動シュー機構における該各多自由度組合せシューの駆動アームが２つの支持腕を備え、この２つ支持腕の間に他の部品を収納できるスペースができるようにされ、該各駆動アームには少なくとも１個の取り合せ孔、逃げ孔又はリミット孔が設けられ、該２つの駆動アームは嵌め込むように配置され、外側の駆動アームの２つの支持腕に別の駆動アームが収納され、収納された駆動アームの２つの支持腕内部に制動シューのウェブが挿入されている、請求項１記載のシュー・ドラム式ブレーキ。
【請求項１４】
該多自由度連動シュー機構の２つの多自由度組合せシューの制動シューの１つはシングル・ウェブ制動シューであり、他の制動シューはダブル・ウェブ制動シューであり、これらの２つの制動シューが隣接するところで、ウェブが相互に重ね継ぎされ、シングル・ウェブ制動シューのウェブが他の制動シューの２つのウェブの間に挿入され、ウェブが重ね継ぎされた部分に制動シュー連動機構が設けられている、請求項１記載のシュー・ドラム式ブレーキ。
【請求項１５】
該多自由度連動シュー機構の制動シュー連動機構はウェブが重ね継ぎされた部分に配設され、この制動シュー連動機構は、ダブル・ウェブの丸孔を貫通する連動ピンと、ウェブが重ね継ぎされた部分のシングル・ウェブ上のスロットと、このスロット内を摺動自在な滑り金から構成されるとともに、この滑り金は、滑り金内部の孔を貫通する連動ピンに連結されて、スロットの中で相対的に滑動可能な、請求項１４記載のシュー・ドラム式ブレーキ。
【請求項１６】
該ブレーキの隙間調節機構は、主に摩擦板と、摩擦板回転軸と、摩擦板押し付けスプリングと、ナットと、座金と、リミット・ピンとを含み、該摩擦板と該制動底板とが接触し、リミット・ピンは摩擦板回転軸に対して所定距離だけ離隔した位置に偏位して摩擦板に固定され、該摩擦板回転軸は摩擦板の中心孔を貫通して制動底板に連結され、該摩擦板押し付けスプリンブは摩擦板回転軸に装着されることによって該摩擦板と該制動底板との間に所定の圧力を生じさせるようにされ、リミット・ピンの一端部は一方の側の駆動アームにおける制動底板寄りの支持腕にあるリミット孔に収納されて、リミット・ピンとリミット孔の内壁の間に所定の隙間が設定されるようにする、請求項１記載のシュー・ドラム式ブレーキ。